(57)【要約】【課題】ＰＣ桁等の構造物の損傷および変形をリアルタイムでモニタリングできる構造物の損傷・変形を検知する方法及びＣＦＲＰ緊張材を提供する。【解決手段】ＰＣ桁１の下面にプレストレス導入用のＣＦＲＰ緊張材２をＰＣ桁１のスパン方向に設置する。ＣＦＲＰ緊張材２は、ＰＣ桁１にプレストレスを導入する緊張材として設置し、基準値を満足させる緊張力を導入する。ＣＦＲＰ緊張材２のひずみに応じて変化するＣＦＲＰ緊張２の電気抵抗を測定する。当該電気抵抗の測定値と予め設定されたＣＦＲＰ緊張材２の電気抵抗値からＰＣ桁１内に設置されたＰＣ鋼材４の損傷・変形を検知する。【選択図】図１
2019105477.tif 000002
【特許請求の範囲】
【請求項１】
プレストレス導入用のCFRP緊張材を備えた構造物における構造物の損傷・変形を検知する方法であって、前記構造物に設置されたプレストレス導入用のCFRP緊張材のひずみから前記構造物の損傷・変形を検知することを特徴とする構造物の損傷・変形検知方法。
【請求項２】
請求項１記載の構造物の損傷・変形検知方法において、前記CFRP緊張材のひずみに応じて変化する前記CFRP緊張の電気抵抗から前記構造物の損傷・変形を検知することを特徴とする構造物の損傷・変形検知方法。
【請求項３】
請求項２記載の構造物の損傷・変形検知方法において、前記CFRP緊張材の両端部に電極を形成する金属メッキが施されていることを特徴とする構造物の損傷・変形検知方法。
【請求項４】
請求項３記載の構造物の損傷・変形検知方法において、前記金属メッキが施されている部分にテーパーが形成されていることを特徴とする構造物の損傷・変形検知方法。
【請求項５】
請求項３または４記載の構造物の損傷・変形検知方法において、前記金属メッキは、電解メッキであることを特徴とする構造物の損傷・変形検知方法。
【請求項６】
請求項３〜５のいずれかひとつに記載の構造物の損傷・変形検知方法において、前記金属メッキは多層構造であることを特徴とする構造物の損傷・変形検知方法。
【請求項７】
請求項１記載の構造物の損傷・変形検知方法において、前記CFRP緊張材のひずみを計測する計測手段を備えていることを特徴とする構造体の損傷・変形検知方法。
【請求項８】
請求項７記載の構造体の損傷・変形検知方法において、前記ひずみ計測手段は、ひずみゲージを備えたものであることを特徴とする構造物の損傷・変形検知方法。
【請求項９】
請求項７記載の構造物の損傷・破断検知方法において、前記ひずみ計測手段は、光ファイバーセンサーを備えたものであることを特徴とする構造物の損傷・変形検知方法。
【請求項１０】
構造物の損傷・変形を検知するのに用いられるCFRP緊張材であって、前記構造物にプレストレスを導入する緊張材および前記構造物の損傷・変形を検知するひずみ計測手段として設置され、かつ両端部にテーパーを備えた電極が設けられていることを特徴とするCFRP緊張材。
【発明の詳細な説明】
【技術分野】
【０００１】
本発明は、プレストレス導入用のCFRP(炭素繊維)緊張材を備えた構造物における構造物の損傷・変形を検知する方法および当該検知方法に用いられるCFRP緊張材に関し、プレストレスが導入された梁や桁などの構造物の損傷や変形をリアルタイムでモニタリングできるようにしたものである。
【背景技術】
【０００２】
例えば、特許文献１には、コンクリート構造物に圧縮力を付与するPC鋼材の破断を検知する方法として、プレストレストコンクリート(以下「PC」)構造物のひび割れによるひずみを計測する計測材をPC構造物に取り付け、当該計測材のひずみ量を測定しそのひずみ量からPC鋼材の破断を検知する方法が記載されている。
【０００３】
また、計測材のひずみ量からPC鋼材の破断を決定すること、計測材のひずみ量からコンクリートのひび割れ箇所を決定し、このひび割れ箇所からPC鋼材の破断箇所を決定すること、さらに、複数の計測材のひずみ量を比較して相対的に大きなひずみ量の計測材を決定し、相対的に大きなひずみ量の計測材の箇所又は近傍をPC鋼材の破断箇所として決定すること等が記載されている。
【０００４】
また、特許文献２には、構造物の損傷を検出する方法として、構造物表面の、相互に離間した第１および第２の箇所に、第１および第２の基部をそれぞれ取り付け、かつ当該第１と第２の基部間に検出用部材を所定の引張力を付与した状態で設置し、当該検出用部材に取り付けられた歪みゲージの出力を、予め準備された基準値と比較して構造物の損傷を検出する方法が記載されている。
【０００５】
さらに、検出用部材が、光学式の歪み検出手段を内蔵した光ファイバーである場合や、構造物がPC構造物の場合に、歪みゲージが検出した歪みの増大からプレストレス付与部材の欠陥を検出すること等が記載されている。
【０００６】
また、特許文献３と特許文献４には、本願の出願人等が開発したアウトプレート工法と呼ばれる技術に関し、両端に定着体を備えたCFRPプレートを、コンクリート桁などのコンクリート躯体に緊張させて張設することにより、コンクリート躯体にプレストレスを導入する方法が記載されている。
【先行技術文献】
【特許文献】
【０００７】
【特許文献１】特開2011-180065号公報
【特許文献２】特開2013-250120号公報
【特許文献３】特許第4225826号公報
【特許文献４】特許第4340256号公報
【発明の概要】
【発明が解決しようとする課題】
【０００８】
特許文献１に記載された発明は、PC構造物に沿って多数の計測材を取り付け、当該各計測材の取付け位置におけるコンクリートのひび割れによるひずみを計測するものであるため、計測材の取付けやメンテナンスに多くの手間と費用が必要とするという課題があり、実用的ではない。
【０００９】
また、特許文献２に記載の発明は、検出用部材を構造物の特定の位置に取り付けるものであり、検出用部材の取付け位置における構造物の損傷を測定できても、PC構造物のコンクリート内に設置されたPC鋼材の損傷や破断を検知することは難しく、これを検知しようとするには、特許文献１に記載の発明と同様、多数の検出用部材を取り付け、それを維持管理する必要があるため、多くの手間と費用を必要とする。
【００１０】
本発明は、以上の課題を解決するためになされたもので、梁や桁などの構造物にプレストレス導入用として設置されたCFRP緊張材のひずみまたはひずみに比例して変化するCFRP緊張材の電気抵抗を測定することにより、梁や桁などの構造物の損傷および変形をリアルタイムでモニタリングできるようにした構造物の損傷・変形検知方法および当該検知方法に用いられるCFRP緊張材を提供することを目的とするものである。
【課題を解決するための手段】
【００１１】
本発明は、プレストレスが導入用のCFRP緊張材を備えた梁や桁などの構造物の損傷や変形をリアルタイムでモニタリングできる構造物の損傷・変形を検知する方法の発明であり、梁や桁などの構造物にプレストレスを導入する緊張材として設置されたCFRP緊張材のひずみまたはCFRP緊張材のひずみに応じて変化するCFRP緊張材の電気抵抗を測定することにより、梁や桁などの構造物の損傷や変形をリアルタイムで検知することを特徴とするものである。
【００１２】
CFRP緊張材は、梁や桁などの構造物の下面、上面、側面、或いは構造物の断面内(例えばコンクリート断面内)などに設置することができ、特に設置位置は限定されるものではない。
【００１３】
また、CFRP緊張材は、梁や桁などの構造物にその全長に渡り構造物と一体に設置するほうが構造物の損傷や変形を検知する精度を高めることができる。例えば、CFRP緊張材を梁や桁などの構造物の下面にその全長に渡り接着して取り付ける方が、構造物の下部面に接着しないで取り付けるよりも構造物の損傷や変形を検知する精度が高い。
【００１４】
このため、梁や桁などの構造物の、例えば、下面にCFRP緊張材をその全長にわたり接着して設置し、当該CFRP緊張材のひずみまたはひずみに応じて変化する電気抵抗を計測することにより構造物の応力変動を敏感に検知することができ、活荷重による梁や桁などの構造物のひずみ変動も容易にモニタリングすることができる。
【００１５】
CFRP緊張材のひずみまたは電気抵抗を測定するひずみ計測手段としては、CFRP緊張材の表面に接着して取り付けられる一般応力測定用のひずみゲージ、または当該ひずみに応じて変化する電気抵抗を測定する測定器を備えたものを用いることができる。
【００１６】
また特に、CFRP緊張材は導電性を有し、かつ弾性範囲でひずみ変形するという点で鋼材(金属)と変わらないため、梁や桁などの構造物のひずみに応じて(例えば、比例して)変化する一般応力測定用のひずみゲージを兼用することができる。このため、本来の応力測定用のひずみゲージがなくても、梁や桁などの構造物のひずみに応じて変化するCFRP緊張材のひずみまたは電気抵抗を直接測定することにより、梁や桁などの構造物の損傷や変形をリアルタイムでモニタリングすることができる。
【００１７】
また、光ファイバーセンサーと光学変換器を備えたもの等も、本発明におけるひずみ計測手段として用いることができる。
【００１８】
また、CFRP緊張材の両端部に電解メッキによる金属メッキを施した電極を形成し、さらに当該電極にテーパーを設けることにより接地面積が広くかつ腐食しにくい電極を形成することができ、これにより導電性が向上し、CFRP緊張材の抵抗変化を長期にわたり安定して計測することができる。
【００１９】
なお、金属メッキとしてはニッケル、クロム、ニッケルクロム、亜鉛、亜鉛クロメート、銅、金、銀、カドニウム、チタン等の金属メッキが適し、さらに銅メッキの上にニッケルメッキ等といったような多層構造のメッキとするのが望ましい。また、電極のテーパーは、サンダーで研磨する等の方法により容易に形成することができる。
【発明の効果】
【００２０】
本発明によれば、プレストレス導入用のCFRP緊張材を備えた梁や桁などの構造物であれば、その構造がPC構造や鉄筋コンクリート構造、鉄骨構造、鋼構造に制約されることなく、前記CFRP緊張材のひずみまたはひずみに応じて変化するCFRP緊張材の電気抵抗を測定することにより、梁や桁などの構造物のPC鋼材、鉄筋、鉄骨、鋼材またはコンクリートの損傷や変形をリアルタイムでモニタリングすることができる。
【００２１】
例えば、PC構造の梁や桁の場合、梁や桁の上面、側面または下面に設置されるCFRP緊張材は、梁や桁に長スパンの範囲で設置されるため、梁や桁のコンクリート内に長スパンの範囲で挿通されるPC鋼材の損傷や破断等を敏感に検知することができる。
【００２２】
また、CFRP緊張材そのものが、梁や桁に設置されるPC鋼材とともに、PC桁にプレストレスを導入する緊張材でもあるため、コンクリートのひび割れを測定して判断する場合に比べ、PC鋼材の損傷や破断を敏感に検知することができる。
【００２３】
また、CFRP緊張材をひずみ計測手段として兼用することにより、本来のひずみ計測手段とその設置作業が不要になり、大幅な低コスト化を図ることができる。
【００２４】
また、別途ひずみ計測手段を設置する場合でも、CFRP緊張材にひずみ計測手段を取り付けるだけなので、ひずみ計測手段をCFRP緊張材に事前に取り付けておけば、CFRP緊張材の設置と同時に計測手段の設置が完了することになり、施工性も向上する。
【図面の簡単な説明】
【００２５】
【図１】本発明の一実施形態を図示したものであり、PC桁におけるPC鋼材の損傷・破断を検知する方法を示すPC桁の側面図である。
【図２】PC桁におけるPC鋼材の配置形態を図示したものであり、図2(a)は内ケーブル方式のPC桁の断面図、図2(b)はは外ケーブル方式のPC桁の断面図である。
【図３】両端部に定着体を備えたCFRP緊張材を図示したものであり、図3(a)は平面図、図3(b)は側面図である。
【図４】図３に図示するCFRP緊張材の端部を拡大した図であり、図4(a)は平面図、図4(b)は側面図、図4(c)は電極の側面図である。
【図５】本発明の他の実施形態を図示したものであり、PC桁におけるPC鋼材の損傷・破断を検知する方法を示すPC桁の側面図である。
【図６】本発明の他の実施形態を図示したものであり、PC桁におけるPC鋼材の損傷・破断を検知する方法を示すPC桁の側面図である。
【発明を実施するための形態】
【００２６】
図１〜４は、本発明の一実施形態を図示したものであり、プレストレス導入用のCFRP緊張材を備えたPC桁のコンクリート内に挿通されたPC鋼材の損傷・破断を検知する方法を図示したものである。
【００２７】
図において、PC桁１の下面にCFRP緊張材２がPC桁１のスパン方向に沿って設置され、かつ当該CFRP緊張材２の両端部がPC桁１のスパン方向両端の支持部近傍の下面に定着体３によってそれぞれ定着されている。
【００２８】
CFRP緊張材２は、PC桁１のコンクリート内に挿通されたPC鋼材４と同様に、PC桁１にプレストレスを導入する緊張材として設置されており、基準値を満足させる緊張力が導入されている。
【００２９】
また、CFRP緊張材２には、PC桁１のひずみ(伸縮)に比例して変化するCFRP緊張材２のひずみ(伸縮)を計測するための計測手段が取り付けられ、計測手段にはPC桁１のひずみ(伸縮)に比例して変化するひずみゲージ(ここではCFRP緊張材２)を備えたものが用いられている。
【００３０】
なお、CFRP緊張材２は導電性を有し、かつ弾性範囲でひずみ変形するという点で鋼材(金属)と変わらないため、PC桁１のひずみ(伸縮)に比例して変化する一般応力測定用のひずみゲージと兼用することができる。
【００３１】
これにより、PC桁１のひずみ(伸縮)に比例して変化するCFRP緊張材２のひずみまたは電気抵抗を直接測定器(図省略)によって逐一測定し、当該CFRP緊張材２の引張りひずみ量または電気抵抗値が予め設定された値以上に達した時点でPC鋼材４が損傷もしくは破断したものと判断することができる。
【００３２】
すなわち、CFRP緊張材２自体の引張りひずみ量を測定することにより、そのひずみ量からPC桁１に挿通されたPC鋼材４の損傷もしくは破断を判断することができる。
【００３３】
また、CFRP緊張材２は、自身のひずみ(伸縮)に比例して電気抵抗が変化し、引張ひずみ量の増大に比例して電気抵抗が増大する。したがって、CFRP緊張材２の引張ひずみに比例して増大する自身の電気抵抗を測定器によって逐一測定し、その電気抵抗をひずみに換算した値が予め設定された値に達した時点でPC鋼材４が損傷もしくは破断したものと判断することができる。
【００３４】
また特に、CFRP緊張材２の両端部に電解メッキによる金属メッキ５を施すことにより電極６が形成されている(図４参照)。また、電極６に厚さ方向に傾斜するテーパーが形成されている(図4(c)参照)。
【００３５】
電極６がこのように形成されていることで、接地面積が広くかつ腐食しにくい電極とすることができ、良好な導電性を長期にわたって維持することができる。
【００３６】
なお、電極６のテーパーは、サンダーで研磨する等の方法により容易に形成することができ、また、金属メッキ５は電解メッキで行うことによりむらのない金属メッキ５を施すことができる。
【００３７】
金属メッキ５としてはニッケル、クロム、ニッケルクロム、亜鉛、亜鉛クロメート、銅、金、銀、カドニウム、チタン等の金属メッキが適し、さらに銅メッキの上にニッケルメッキ等といった多層構造のメッキとするのが望ましい。
【００３８】
なお、CFRP緊張材２の断面形状(厚さ×幅)が３ｍｍ×75ｍｍ程度の場合、CFRP緊張材２端部の定着体３からの突出長さＬは20ｍｍ程度、テーパー長さL1は10ｍｍ程度あればよいが、必ずしもこの範囲に限定されるものではない(図4(a)参照)。
【００３９】
また、橋梁などのPC桁１の上面、側面または下面などにフェイルセーフとして１層目のCFRP緊張材２を設置し、当該CFRP緊張材２のひずみからPC桁１内のPC鋼材４のモニタリングを実施して、PC鋼材４の破断もしは損傷が確認されたときは、２層目のCFRP緊張材２を設置してPC桁１を補強することもできる。
【００４０】
また、CFRP緊張材２は、PC桁１の上面、側面または下面などにその全長にわたって接着して取り付ける方が、PC桁１の上面、側面または下面などに接着しないで取り付ける場合よりPC桁１の変形を検知しやすく精度が高い。
【００４１】
このため、PC桁１の下面にCFRP緊張材２を接着して取り付け、当該CFRP緊張材２のひずみを計測することでPC桁下面の応力変動を敏感に検知することができ、これによりPC鋼材４の損傷・破断を検知する精度を向上させることができる。
【００４２】
なお、PC鋼材４はPC桁１のコンクリート内(内ケーブル)、コンクリート外(外ケーブル)のいずれに配置されていてもよい(図2(a),(b)参照)。
【００４３】
図５は本発明の他の実施形態を図示したものであり、CFRP緊張材２に本来のひずみゲージ７を取り付けて、CFRP緊張材２のひずみ(伸縮)からPC桁１内に挿通されたPC鋼材４の損傷・破断を検知するようにしたものであり、ひずみゲージ７はCFRP緊張材２の下面に接着材によって取り付けられている。
【００４４】
そして、CFRP緊張材２のひずみ(伸縮)に比例して変化するひずみケージ７の引張ひずみを測定器などによって逐一測定し、ひずみゲージ７のひずみが予め設定された値に達した時をPC鋼材４が損傷もしくは破断したものと判断することができる。
【００４５】
なお、ひずみゲージ７には在来の一般応力測定用のひずみゲージを使用することができ、きわめて経済てきである。また、ひずみゲージ７の位置は、CFRP緊張材２の中央、両端端のいずれの位置でもよい。
【００４６】
図６は、同じく本発明の他の実施形態を図示したものであり、PC桁１内に挿通されたPC鋼材４の損傷・破断は、光学式のひずみ検出手段を内蔵した光ファイバーセンサーと光学変換器を備えたひずみ計測手段によってモニタリングすることにより検知することができる。
【００４７】
図において、光ファイバーセンサー８は光学式のひずみ検出手段を内蔵し、CFRP緊張材２の下部面にPC桁１のスパン方向に沿って設置されている。そして、CFRP緊張材２のひずみ(伸縮)に比例して変化する光ファイバーセンサー９の光ひずみを光学変換器などによってモニタリングすることによりPC鋼材４の損傷もしくは破断を検知することができる。
【００４８】
なお、光ファイバーセンサー９には在来の光ファイバーセンサーを使用することができ、例えば、光ひずみ計(FBG)や光損失計(OTDR)、或いは光ひずみ分布計(BOTDR)などを使用できる。
【００４９】
また、CFRP緊張材２をPC桁１の下部面にスパン方向の全長にわたって接着して取り付け、かつ当該CFRP緊張材２の下部面に光ファイバーセンサー９を全長に渡って接着して取り付けることにより、PC鋼材４の損傷・破断を検知すると同時にPC鋼材４の損傷もしくは破断した位置も検知することができる。
【産業上の利用可能性】
【００５０】
本発明は、梁や桁などの構造物の上面、側面または下面などに設置されたプレストレス導入用のCFRP緊張材のひずみまたは電気抵抗をひずみ計測手段によってモニタリングすることにより、梁や桁などの構造物の損傷・変形をリアルタイムで検知することができる。
【符号の説明】
【００５１】
１  PC桁(プレストレストコンクリート桁)
２  CFRP緊張材
３  定着体
４  PC鋼材
５  金属メッキ
６  電極
７  ひずみゲージ
８  光ファイバーセンサー
【図１】
2019105477.tif 000003
【図２】
2019105477.tif 000004
【図３】
2019105477.tif 000005
【図４】
2019105477.tif 000006
【図５】
2019105477.tif 000007
【図６】
2019105477.tif 000008